(57)【要約】【課題】穿孔が予定される所定基の位置に容易に穿孔をすることができる、飲料水容器を提供する。【解決手段】飲料水容器は、軟素材で形成された容器本体と、容器本体の所定の位置に設けられた穿孔補助部材とを備える飲料水容器であって、穿孔補助部材は、側壁と、側壁の一端から外方に延出し容器本体に取り付けられるフランジとを含み、容器本体の、平面視において側壁で囲まれた領域に弱化線が形成される。また、弱化線は、閉曲線となる部分を含まなくてもよい。【選択図】図２
2019189320.tif 000002
【特許請求の範囲】
【請求項１】
軟素材で形成された容器本体と、
前記容器本体の所定の位置に設けられた穿孔補助部材とを備える飲料水容器であって、
前記穿孔補助部材は、
側壁と、
前記側壁の一端から外方に延出し前記容器本体に取り付けられるフランジとを含み、
前記容器本体の、平面視において前記側壁で囲まれた領域に弱化線が形成された、
ウォーターサーバー飲料水容器。
【請求項２】
前記弱化線は、閉曲線となる部分を含まない、請求項１に記載の飲料水容器。
【発明の詳細な説明】
【技術分野】
【０００１】
本発明は、ウォーターサーバー等に用いられる飲料水容器に関するものである。
【背景技術】
【０００２】
軟包装材等を用いて形成された飲料水容器を収容して使用するウォーターサーバーが知られている。
【０００３】
特許文献１には、飲料水の入った袋（飲料水容器）をセットするボトルホルダーを備え、ボトルホルダーに袋をセットすると、ボトルホルダーの底面に設けられたニードルによって袋に孔が開けられ、流出した飲料水がニードルの通路を通って冷却タンクへ貯められるウォーターサーバーが開示されている。
【０００４】
また、特許文献２には、水袋収容部に収容された飲料水の入った水袋（飲料水容器）の上部に、フレキシブルな取水管路の先端に設けられた配管器具の中空針（ニードル）を突き刺して飲料水を取り出すことのできるウォーターサーバーが開示されている。
【先行技術文献】
【特許文献】
【０００５】
【特許文献１】特許第４６７７５０８号公報
【特許文献２】特許第５３８０５８４号公報
【発明の概要】
【発明が解決しようとする課題】
【０００６】
このような飲料水容器は、軟素材で形成された容器本体に飲料水が充填されているため容器本体が容易に変形して、穿孔が困難であった。
【０００７】
本発明はこのような課題に鑑みてなされたものであり、穿孔が予定される所定の位置に容易に穿孔をすることができる、飲料水容器を提供することを目的とする。
【課題を解決するための手段】
【０００８】
上記課題を解決するための本発明の一局面は、軟素材で形成された容器本体と、容器本体の所定の位置に設けられた穿孔補助部材とを備える飲料水容器であって、穿孔補助部材は、側壁と、側壁の一端から外方に延出し容器本体に取り付けられるフランジとを含み、容器本体の、平面視において側壁で囲まれた領域に弱化線が形成された、飲料水容器である。
【発明の効果】
【０００９】
本発明によれば、穿孔が予定される所定の位置に容易に穿孔をすることができる、飲料水容器を提供することができる。
【図面の簡単な説明】
【００１０】
【図１】本発明の一実施形態に係る飲料水容器を収容したウォーターサーバーの模式図
【図２】本発明の一実施形態に係る飲料水容器の斜視図および拡大断面図
【図３】本発明の一実施形態に係る飲料水容器の弱化線の一例を示す平面図
【発明を実施するための形態】
【００１１】
本発明の実施形態に係る飲料水容器について、図を参照して説明する。
【００１２】
＜構成＞
図１に、本発明の一実施形態に係る飲料水容器１００を収容したウォーターサーバー５００の模式図を示し、図２に、飲料水容器１００の斜視図とそのＡ−Ａ’線に沿った拡大断面図を示す。図２に示すように、飲料水容器１００は、容器本体１１０と、穿孔補助部材１２０とを含んで構成される。
【００１３】
図１に示すように、飲料水容器１００は、ウォーターサーバー５００に収容して用いられる。飲料水容器１００は、ウォーターサーバー５００の収容部５１０に収容された後、ウォーターサーバー５００が備える中空のニードル５２０を用いて容器本体１１０の表面に飲料水を取出すための孔が穿孔される。ニードル５２０の先端付近には通孔が形成されており、通孔からニードル５２０の内部に流入した飲料水はウォーターサーバー５００の内部に設けられた貯水タンク５３０へ貯留される。貯水タンク５３０に貯留された飲料水は、給水栓５４０を通して外部へ取り出すことができる。
【００１４】
図１に示すように、ウォーターサーバー５００では、飲料水容器１００を貯水タンク５３０や給水栓５４０より上方に収容することで、大気圧や飲料水の自重によって飲料水を外部に取り出しているが、飲料水容器１００を貯水タンク５３０や給水栓５４０の下方に収容し、飲料水をポンプ等で吸い上げて外部に取り出してもよい。
【００１５】
また、ウォーターサーバー５００では、ニードル５２０を収容部５１０の底部に設けて飲料水容器１００の下方から穿孔しているが、フレキシブルな取水管路の先にニードルを設けて飲料水容器１００の上方から穿孔できるように構成してもよい。
【００１６】
また、ウォーターサーバー５００では、一旦、貯水タンク５３０に貯留した飲料水を給水栓５４０へ供給しているが、貯水タンク５３０を設けずに飲料水を給水栓５４０に直接導いてもよい。
【００１７】
（容器本体）
容器本体１１０は、軟素材（軟包装材料）で形成された包装袋である。容器本体１１０の内容量は特に限定されないが、用いられるウォーターサーバー５００の大きさに応じて例えば１リットル〜２０リットルの大きさに形成される。容器本体１１０の形状は特に限定されないが、例えば１枚の矩形状のフィルムを折り曲げて、合わせた端縁をシールして収容部を形成した三方シール袋や、四方シール袋等が好適に用いることができる。
【００１８】
容器本体１１０は、平面視において、後述する穿孔補助部材１２０の側壁１２１で囲まれた領域に弱化線１１２を備える。弱化線１１２は、線状に軟素材の強度を低下させた部分であり、具体的には、線状に軟素材の厚みを減らすことにより形成することができる。
【００１９】
弱化線１１２は、図２の拡大断面図に示すように、容器本体１１０の外方側の面から貫通しないカット線を設けることで形成してもよいし、容器本体１１０内方側の面から貫通しないカット線を設けることで形成してもよい。また、軟素材の内部に線状の空孔を設けることで形成してもよい。弱化線１１２は、例えばレザー刃やレーザー光を用いて形成することができる。
【００２０】
弱化線１１２は、平面視において、閉曲線となる部分を含まない形状であることが好ましい。弱化線１１２が閉曲線を含むことで、軟素材の一部が弱化線１１２に沿ってちぎれる際に閉曲線に囲まれた部分が容器本体から分離するおそれがある。このため、弱化線１１２が閉曲線となる部分を含まない形状とすることで、軟素材が弱化線１１２に沿ってちぎれても、軟素材の一部が容器本体から分離して飲料水に混入することを抑制できる。図３に、弱化線１１２の一例を示す平面図を示す。図３の（ａ）、（ｂ）は直線を組み合せた形状の弱化線１１２であり、図３の（ｃ）は円弧形状の弱化線１１２である。
【００２１】
容器本体１１０に用いられる軟素材は、単層フィルム、積層フィルムのいずれであってもよい。フィルムの材料は特に限定されないが、単層フィルムであれば、例えばポリエチレン（ＰＥ）を用いることができる。また、積層フィルムであれば、例えば、容器本体１１０の外方側からＰＥ／ナイロン（ＮＹ）／ＰＥ、ＰＥ／ＮＹ／ポリエチレンテレフタレート（ＰＥＴ）、ＰＥ／ＮＹ／透明蒸着ＰＥＴ、ＰＥ／ＮＹ／（ポリシクロオレフィン層を有するＰＥ）をそれぞれ積層したフィルムを用いることができる。
【００２２】
（穿孔補助部材）
穿孔補助部材１２０は、容器本体１１０の穿孔が予定される所定の位置に設けられる部材である。穿孔補助部材１２０は、側壁１２１と、側壁１２１の一端から外方に延出するように設けられたフランジ１２２とを含む。穿孔補助部材１２０は、側壁１２１が容器本体１１０の外面から外方に延出するように、フランジ１２２を容器本体１１０の外面に超音波等を用いた溶着等で固定することで容器本体１１０に取り付けられる。
【００２３】
穿孔補助部材１２０は、ニードル５２０により穿孔される所定の位置を示し、穿孔の後は側壁１２１によってニードル５２０と容器本体１１０との位置ずれを抑制することができる。
【００２４】
穿孔補助部材１２０は、側壁１２１のフランジ１２２とは反対側の端部から外方に延出する天面をさらに備えてもよい。
【００２５】
側壁１２１は、ニードル５２０が容器本体１１０に穿孔された状態を確実に保持するために、ウォーターサーバー５００が備える接続部材と係合してもよい。
【００２６】
穿孔補助部材１２０の材料は特に限定されないが、ＰＥ、ＰＥＴ、およびこれらの組み合せ等を用いることができる。
【００２７】
なお、流路内に塵埃が入るのを抑制するため、未使用時に流路の開口を覆う蓋材が設けられてもよい。また、側壁１２１、フランジ１２２には、一部に開口、切欠き等を設けてもよいが、フランジ１２２は、容器本体１１０のフィルムに曲がりやしわが発生しないよう、容器本体１１０と接触する領域が２つ以上に分離せず連続する形状であることが好ましい。
【００２８】
＜効果＞
このように、本発明によれば、容器本体の、平面視において側壁で囲まれた領域に弱化線が形成されているため、穿孔が予定される所定の位置に容易に穿孔することができる。
【００２９】
また、弱化線を、平面視において、閉曲線となる部分を含まない形状に形成することで、軟素材の一部が弱化線に沿ってちぎれて容器本体から分離して飲料水に混入することを抑制できる。
【産業上の利用可能性】
【００３０】
本発明は、ウォーターサーバー用の飲料水容器等に用いることができる。
【符号の説明】
【００３１】
１００    飲料水容器
１１０    容器本体
１１２    弱化線
１２０    穿孔補助部材
１２１    側壁
１２２    フランジ
５００    ウォーターサーバー
５１０    収容部
５２０    ニードル
５３０    貯水タンク
５４０    給水栓
【図１】
2019189320.tif 000003
【図２】
2019189320.tif 000004
【図３】
2019189320.tif 000005